(57)【特許請求の範囲】
【請求項１】
テレビジョン送信装置側では、
映像信号を含むテレビジョン信号に、テレビジョン受信装置側でこのテレビジョン信号を受信したときに、前記映像信号に対応した画像を正しく再現表示させるか、或いは、前記映像信号に対応した画像を正しく再現表示させないかを示す制御情報を、本来の映像信号に変形を加えることなく多重化して送信し、
テレビジョン受信装置側では、
前記テレビジョン信号を受信し、前記テレビジョン信号に含まれる映像信号と制御情報とを抽出し、
前記テレビジョン受信装置が、制御情報の状態に拘わらず前記映像信号に対応した画像を正しく再現表示させるモードに設定されている場合には、前記映像信号に対応した画像を正しく再現表示させ、
前記テレビジョン受信装置が、制御情報の状態に応じて前記映像信号に対応した画像を正しく再現表示させるか正しく再現表示させないかを切り換えるモードに設定されている場合に、前記制御情報が前記映像信号に対応した画像を正しく再現表示させることを示すものであるときには、前記映像信号に対応した画像を正しく再現表示させ、前記制御情報が前記映像信号に対応した画像を正しく再現表示させないことを示すものであるときには、本来の映像信号に変形を加えて前記映像信号に対応した画像を正しく再現表示させないようにする
テレビジョン信号の放送システム。
【請求項２】
前記テレビジョン送信装置側では、
テレビジョン信号に多重化される前記制御情報に、１画面中の一部の領域を指定するための位置情報を付加し、
上記テレビジョン受信装置側では、
上記位置情報により決定される画像領域でのみ、本来の映像信号に変形を加えて前記映像信号に対応した画像を正しく再現表示させないようにする
ことを特徴とする請求項１に記載のテレビジョン信号の放送システム。
【請求項３】
映像信号に対応した画像を正しく再現表示させるか、或いは、映像信号に対応した画像を正しく再現表示させないかを示す制御情報が、本来の映像信号に変形を加えることなく多重化されて送信されるテレビジョン信号の受信が可能なテレビジョン受信装置であって、
前記制御情報の状態に応じて前記映像信号についての処理を行うようにする第１のモードの設定入力を受け付ける受付手段と、
前記テレビジョン信号を受信し、前記テレビジョン信号に含まれる映像信号と前記制御情報とを抽出する抽出手段と、
画像を正しく再現表示させないようにする画像表示制限手段と、
前記受付手段を通じて、前記第１のモードに設定されている場合であって、前記制御情報が前記映像信号に対応した画像を正しく再現表示させないことを示すものであるときに、前記画像表示制限手段を制御して、前記映像信号に対応した画像を正しく再現表示させないようにする制御手段と
を備えることを特徴とするテレビジョン受信装置。
【請求項４】
前記受付手段は、前記制御情報の状態に拘わらず前記映像信号に対応した画像を正しく再現表示させる第２のモードと、強制的に前記映像信号に対応した画像を正しく再現表示させない第３のモードとの設定入力を受け付けることができるものであり、
前記制御手段は、前記第１のモードに設定されている場合であって、前記制御情報が前記映像信号に対応した画像を正しく再現表示させないことを示すものであるときと、前記第３のモードに設定されている場合には、前記画像表示制限手段を制御して、前記映像信号に対応した画像を正しく再現表示させないようにすることを特徴とする請求項３に記載のテレビジョン受信装置。
【請求項５】
前記テレビジョン信号に多重化された前記制御情報は、１画面中の一部の領域を指定するための位置情報を含み、
前記抽出手段で、前記多重化されている前記位置情報が抽出されるとともに、抽出された前記位置情報をデコードするデコード手段が設けられ、このデコード手段でデコードされた前記位置情報で指定された画面上の一部の領域でのみ、画像を正しく再現表示させない処理が行われるようにする請求項３または請求項４に記載のテレビジョン受信装置。
【発明の詳細な説明】
【０００１】
【産業上の利用分野】
この発明は、テレビジョン信号の放送システムとこのシステムに用いられるテレビジョン受信装置に関する。
【０００２】
【従来の技術】
テレビジョン放送により提供されるテレビ番組の映像は、公的な放送基準や放送局側の自主規制により、例えば、個人のプライバシーに関わる映像、暴力的な映像、猥せつな映像などは、あらかじめカットされたり、モザイク処理された上で放送されている。
【０００３】
しかし、放送基準や放送局側の自主規制により、上述のように問題になるような映像がカットされたり、モザイク処理された後のテレビ番組であっても、幼児には見せたくない映像が含まれる場合がある。
【０００４】
現状では、上述のように、視聴しているテレビ番組の映像として、子供に見せたくない映像が提供された場合、その映像を子供に見せないための方法としては、テレビジョン受信装置の電源を切るか、他チャンネルを選局するなどして、視聴していたテレビ番組の視聴を中止する方法しかない。
【０００５】
【発明が解決しようとする課題】
ところが、上述したようにテレビ番組により提供された映像が、一緒に視聴している子供に見せたくない映像、例えば暴力的な映像であった場合、見せたくないとする判断は、その暴力的な映像が提供された後にされる。したがって、この映像は見せたくないと判断してテレビジョン受信装置の電源を切っても、実際には、判断しテレビジョン受信装置の電源を切るまでの間の暴力的な映像は見えてしまっている。
【０００６】
また、見せたくない映像がどれくらい続くかという情報は存在しない。したがって、見せたくない映像が提供されたためテレビジョン受信装置の電源を切り、その映像が終わった頃を見計らって、テレビジョン受信装置の電源を投入すると、まだ見せたくない映像が続いているといったことも起こる。その逆に、見せたくない映像が提供されたためにテレビジョン受信装置の電源を切り、電源を再投入するまでの時間を取りすぎて、番組の流れやストーリーがわからなくなったり、あるいは、必要な情報を見逃したりするということも起こる。
【０００７】
この発明は、以上の欠点を一掃できるテレビジョン信号の放送方式とテレビジョン受信装置を提供することを目的とする。
【０００８】
【課題を解決するための手段】
この発明によるテレビジョン信号の放送システムは、
テレビジョン送信装置側では、
映像信号を含むテレビジョン信号に、テレビジョン受信装置側でこのテレビジョン信号を受信したときに、前記映像信号に対応した画像を正しく再現表示させるか、或いは、前記映像信号に対応した画像を正しく再現表示させないかを示す制御情報を、本来の映像信号に変形を加えることなく多重化して送信し、
テレビジョン受信装置側では、
前記テレビジョン信号を受信し、前記テレビジョン信号に含まれる映像信号と制御情報とを抽出し、
前記テレビジョン受信装置が、制御情報の状態に拘わらず前記映像信号に対応した画像を正しく再現表示させるモードに設定されている場合には、前記映像信号に対応した画像を正しく再現表示させ、
前記テレビジョン受信装置が、制御情報の状態に応じて前記映像信号に対応した画像を正しく再現表示させるか正しく再現表示させないかを切り換えるモードに設定されている場合には、前記制御情報が前記映像信号に対応した画像を正しく再現表示させることを示すものであるときには、前記映像信号に対応した画像を正しく再現表示させ、前記制御情報が前記映像信号に対応した画像を正しく再現表示させないことを示すものであるときには、本来の映像信号に変形を加えて前記映像信号に対応した画像を正しく再現表示させないようにすることを特徴とする。
【０００９】
また、この発明によるテレビジョン受信装置は、
映像信号に対応した画像を正しく再現表示させるか、或いは、映像信号に対応した画像を正しく再現表示させないかを示す制御情報が、本来の映像信号に変形を加えることなく多重化されて送信されるテレビジョン信号の受信が可能なテレビジョン受信装置であって、
前記制御情報の状態に応じて前記映像信号についての処理を行うようにする第１のモードの設定入力を受け付ける受付手段と、
前記テレビジョン信号を受信し、前記テレビジョン信号に含まれる映像信号と前記制御情報とを抽出する抽出手段と、
画像を正しく再現表示させないようにする画像表示制限手段と、
前記受付手段を通じて、前記第１のモードに設定されている場合であって、前記制御情報が前記映像信号に対応した画像を正しく再現表示させないことを示すものであるときに、前記画像表示制限手段を制御して、前記映像信号に対応した画像を正しく再現表示させないようにする制御手段と
を備えることを特徴とする。
【００１０】
【作用】
上記の構成の放送システムにおいては、例えば、青少年には、見せない方がよいシーン区間等を指定する制御情報が、テレビジョン信号中に多重化されて放送される。テレビジョン受信装置では、上記制御情報を抽出し、指定された区間では、画像表示制限回路、例えばモザイク処理回路からの正しく再現表示されていない画像を画面に映出するようにして、当該シーンが青少年にそのまま提供される状態が回避される。そして、そのシーンが終了すれば、制御情報によりそれが示されるので正常な画面に戻る。
【００１１】
【実施例】
以下、この発明によるテレビジョン信号の放送システムとテレビジョン受信装置の実施例について、図を参照しながら説明する。
【００１２】
以下に説明する第１の実施例においては、テレビジョン受信装置に画像表示制限回路の例としてモザイク処理回路を設けるとともに、映像信号の垂直帰線消去期間に、モザイク処理を制御するための信号（以下、モザイク制御信号という）を多重化して放送する。そして、これを受信したテレビジョン受信装置においては、モザイク制御信号を抽出し、この抽出された信号により、モザイク処理された画像を映出するか否かと、モザイク処理回路を働かせる画像領域を制御するようにする。
【００１３】
図１は、映像信号の垂直帰線消去期間に多重化されるモザイク制御信号のフォーマットの一例を示す図である。
【００１４】
図１に示すように、モザイク制御信号９０は、映像信号の垂直帰線消去期間ＶＢＬ内の未使用の１〜複数の水平走査期間（図において、Ｈは水平走査期間）に多重化される。モザイク制御信号９０は、モザイク・オン・オフ情報ＳＷと、映像信号のモザイク処理をする画面位置を指定する位置情報とからなる。モザイク処理をする画面位置を指定する位置情報は、この例では、開始水平位置情報ＨＰＳと、終了水平位置情報ＨＰＥと、開始垂直位置情報ＶＰＳと、終了垂直位置情報ＶＰＥとにより構成されている。
【００１５】
モザイク・オン・オフ情報ＳＷは、モザイク処理された画面を表示するか、通常画面を表示するかを切り換えるための情報である。すなわち、画像を正しく再現表示するか否かを指定する信号、換言すれば、画像を正しく再現表示させない特定区間を指定する情報である。例えば、モザイク・オン・オフ情報ＳＷが“１”のときはモザイク処理された画面を映出し、また、“０”のときはモザイク処理を実行しない通常の画面を映出するようにテレビジョン受信装置を制御する。
【００１６】
放送局では、モザイク処理した方がよいと思われるシーンを予めピックアップし、そのシーンが続く区間はモザイク・オン・オフ情報ＳＷを“１”とし、他の区間は“０”とする。そして、１画面全体をモザイク処理するように指定するときは位置情報は付加せず、１画面のうちの特定のエリアだけをモザイク処理するように指定するときに、位置情報を多重化する。もっとも、１画面の全体を指定する位置情報を付加するようにしてもよい。
【００１７】
開始水平位置情報ＨＰＳ、開始垂直位置情報ＶＰＳ、終了水平位置情報ＨＰＥ、終了垂直位置情報ＶＰＥのうち、開始水平位置情報ＨＰＳと終了水平位置情報ＨＰＥとにより、モザイク処理を行う画面上の水平方向の領域が指定され、開始垂直位置情報ＶＰＳと終了垂直位置情報ＶＰＥとにより、モザイク処理を行う画面上の垂直方向の領域が指定される。すなわち、図２おいて斜線を示して示す矩形領域Ａが、モザイク制御情報９０により指定された、画面Ｇ上のモザイクを実行する領域となる。
【００１８】
次に、上述したモザイク制御信号が多重化されたテレビジョン信号を受信するモザイク処理回路を備えたテレビジョン受信装置について説明する。図３は、モザイク処理回路と、モザイク制御信号抽出機能を備えたテレビジョン受信装置の一例のブロック図である。この例の場合、テレビジョン受信装置３００は、ケーブルテレビの受信装置の場合の例である。
【００１９】
テレビジョン受信装置３００は、テレビジョン信号の入力端子４０ａ、チューナデコーダ部４０、音声処理部４１、映像信号処理部４２、モザイク処理回路４３、モザイク制御信号抽出回路５０、論理回路６０、制御信号発生部７０、リモコンコマンダ８０、リモコン信号受信部８１、リモコン信号デコード部８２を備えている。
【００２０】
ケーブルを介して送信されてくるテレビジョン信号は、入力端子４０ａを通じて、チューナ／デコーダ部４０に供給される。チューナ／デコーダ部４０では、制御信号発生部７０より供給される選局信号に基づいて、視聴者が希望するチャンネルのテレビジョン信号が選局され、チューナ／デコーダ部４０に内蔵の映像復調器、音声復調器により、映像信号と音声信号が復調される。
【００２１】
復調された音声信号は、音声信号処理部４１に供給され、この音声信号処理部４１で、モニタ受像機４００に供給される音声信号の形に変換されて、モニタ受像機４００に供給される。
【００２２】
一方、復調された映像信号は、映像信号処理部４２に供給される。映像信号処理部４２は、Ｙ／Ｃ分離回路４２１、クロマデコーダ４２２、マトリックス回路４２３、切換回路４２４、モザイク処理回路４３を備えている。
【００２３】
Ｙ／Ｃ分離回路４２１では、供給された映像信号が輝度信号Ｙと搬送色信号Ｃに分離され、搬送色信号Ｃは、クロマデコーダ４２２に供給される。クロマデコーダ４２２では、供給された搬送色信号Ｃから色差信号Ｒ−Ｙと色差信号Ｂ−Ｙがデコードされる。そして、輝度信号Ｙ、色差信号Ｒ−Ｙ、色差信号Ｂ−Ｙは、マトリックス回路４２３に供給され、このマトリックス回路４２３より、赤、緑、青の３原色信号Ｒ，Ｇ，Ｂが得られる。これら３原色信号Ｒ、Ｇ、Ｂは、切換回路４２４に供給される。
【００２４】
マトリックス回路４２３よりの３原色信号Ｒ、Ｇ、Ｂは、また、モザイク処理回路４３に供給される。モザイク処理回路４３は、この例では、サンプリングホールド回路４３１とサンプリングクロック生成回路４３２とからなり、３原色信号Ｒ、Ｇ、Ｂは、サンプリングホールド回路４３１に供給される。
【００２５】
サンプリングクロック生成回路４３２からは、この例では水平周波数の数倍〜１０倍程度の周波数であって、後述するように水平同期信号及び垂直同期信号に同期したサンプリングクロックＭＳＨが得られる。このサンプリングクロックＭＳＨがサンプリングホールド回路４３１に供給されて、３原色信号Ｒ、Ｇ、Ｂが、それぞれサンプリングホールドされる。そして、そのサンプリングホールド出力が切換回路４２４に供給される。この３原色信号のサンプリングホールド出力は、この例の場合には、サンプリングクロックＭＳＨの周波数が上述のような値であるので、１水平ラインのデータが数個〜１０個程度に丸められたものであり、これによりモザイク処理がなされるものである。
【００２６】
切換回路４２４は、上記のようにしてモザイク処理された３原色信号とマトリックス回路４２３からの通常の３原色信号とのどちらをモニタ受像機４００に供給するかを、後述する論理回路６０から供給される制御信号ＣＴＬに基づいて切り換える。
【００２７】
チューナ／デコーダ部４１により復調された映像信号は、また、同期分離回路４４とモザイク制御信号抽出回路５０のゲート回路５２とに供給される。同期分離回路４４により抽出された水平同期信号ＨＤと垂直同期信号ＶＤは、モザイク処理回路４３のサンプリングクロック生成回路４３２に供給される。
【００２８】
サンプリングクロック生成回路４３２では、例えばＰＬＬ回路などにより水平同期信号ＨＤと垂直同期信号ＶＤに同期するクロックとして、サンプリングクロックＭＳＨが生成される。
【００２９】
モザイク制御信号抽出回路５０は、ゲート信号生成部５１、ゲート部５２、２値化処理部５３、モザイク制御信号デコード部５４、エリア信号生成回路５５を備えている。
【００３０】
同期分離回路４４により抽出された垂直同期信号ＶＤと水平同期信号ＨＤは、また、モザイク制御信号抽出回路５０のゲート信号生成回路５１とエリア信号生成回路５５に供給される。
【００３１】
ゲート信号生成回路５１では、図１に示した映像信号の垂直帰線消去期間の所定水平走査期間に多重化されたモザイク制御信号を抽出するためのゲート信号を生成する。生成されたゲート信号は、ゲート回路５２に供給され、このゲート回路５２でチューナ／デコーダ部４０よりの映像信号からモザイク制御信号が抽出される。この抽出されたモザイク制御信号は、２値化処理部５３に供給される。
【００３２】
２値化処理部５３では、モザイク制御信号を２値化処理し、デジタルデータに変換する。２値化処理されたモザイク制御信号は、モザイク制御信号デコード部５４に供給される。
【００３３】
モザイク制御信号デコード部５４では、モザイク・オン・オフ情報ＳＷやモザイク位置データである開始水平位置情報ＨＰＳ、開始垂直位置情報ＶＰＳ、終了水平位置情報ＨＰＥ、終了垂直位置情報ＶＰＥがデコードされる。デコードされたモザイク・オン・オフ情報ＳＷは、論理回路６０に供給され、一方、開始水平位置情報ＨＰＳ、開始垂直位置情報ＶＰＳ、終了水平位置情報ＨＰＥ、終了垂直位置情報ＶＰＥは、エリア信号生成回路５５に供給される。
【００３４】
エリア信号生成回路５５では、これに供給された位置情報から、モザイク処理をする画面上の所定の領域（図２の領域Ａ参照）を指定するエリア信号ＳＰＣが生成され、サンプリングクロック生成回路４３２に供給される。
【００３５】
サンプリングクロック生成回路４３２は、エリア信号ＳＰＣにより指定されるモザイク処理区間においてのみ、サンプリングクロック信号ＭＳＨを発生し、サンプリングホールド回路４３１に供給する。したがって、サンプリングホールド回路４３１では、エリア信号ＳＰＣで指定された領域に対応する区間の映像信号のみ、モザイク処理が行われる。
【００３６】
なお、この例では、多重情報に位置情報が含まれないとき、および多重情報がないときには、エリア信号ＳＰＣは、１画面全体を指定するものとされ、サンプリングクロック生成回路４３２からは１画面区間のすべてにわたってサンプリングクロックＭＳＨが発生して、サンプリングホールド回路４３１に供給され、画面全体についてモザイク処理が行われる状態となっている。ただし、そのモザイク画面が映出されるか否かは切換回路４２４の切換状態による。
【００３７】
例えば、図４に示す画像が、サンプリングホールド回路４３１により画面全体がモザイク処理されると、図５に示す画像が映出され、エリア信号ＳＰＣにより画面の下１／３のエリアが指定されてモザイク処理されると、図６に示す画像が映出される。なお、１画面当たりのモザイク処理の矩形領域を複数個設定するようにすることにより、上述したエリア信号によって、画面の任意の位置において、所望の大きさ、形でモザイク処理を実行することができる。
【００３８】
モザイク制御信号デコード回路５４からのモザイク・オン・オフ情報ＳＷは、論理回路６０を介して制御信号ＣＴＬとして切換回路４２４に供給され、モザイク・オン・オフ情報ＳＷが“１”であるシーン区間はサンプリングホールド回路４３１からの３原色信号を選択する状態に切り換えられる。
【００３９】
したがって、モザイク・オン・オフ情報ＳＷが“１”であるシーン区間は、１画面全体、あるいは、エリア信号ＳＰＣにより指定された区間においてモザイク処理された映像信号がモニタ受像機４００に供給され、そのモザイク処理された画像が画面に表示される。
【００４０】
論理回路６０は、ユーザによってモザイク処理の強制オン・オフをすることを可能にするために設けられている。すなわち、ユーザがモザイク処理の強制オンを指定する操作をすると、論理回路６０は、切換回路４２４をサンプリングホールド回路４３１からの３原色信号を選択する状態にする制御信号ＣＴＬを形成し出力する。すなわち、ユーザーによるモザイク処理の強制オン操作により、映像信号に重畳されたモザイク・オン・オフ情報ＳＷの状態に関係なく、切換回路４２４は、強制的にモザイク処理回路４３からの３原色信号を選択する。
【００４１】
このとき、映像信号にモザイク制御信号が重畳されていなければ、前述したように１画面全体についてモザイク処理が行なわれた画像が得られる。また、位置情報を含むモザイク制御信号が映像信号に重畳されているときは、その位置情報により指定されたエリアがモザイク処理された画像がモニタ受像機４００に得られる。
【００４２】
また、ユーザがモザイク処理の強制オフを指定する操作をすると、論理回路６０は、切換回路４２４をマトリックス回路４２３からの３原色信号を選択する状態にする制御信号ＣＴＬを形成し出力する。したがって、ユーザによるモザイク処理の強制オフにより、映像信号に重畳されたモザイク・オン・オフ情報ＳＷの状態に関係なく、モザイク処理は実行されない。
【００４３】
上述のようなユーザによるモザイク処理の強制オン・オフは、リモコンコマンダ８０を操作することにより行なわれる。例えば、リモコンコマンダ８０は、図示しないが、モザイク処理の強制オンボタン、強制オフボタン、自動ボタンの３つのスイッチ（あるいは上記の３つのボタンに対応する切換位置を有する１つのボタン）を有している。
【００４４】
自動ボタンは、映像信号に重畳されたモザイク制御信号に従ってモザイク処理された画面を選択するように指定するスイッチである。
【００４５】
そして、ユーザによりリモコンコマンダ８０の強制オンボタン、強制オフボタン、自動ボタンのいずれかが押されると、押されたボタンに対応するリモコン信号が形成され、出力される。このリモコン信号は、リモコン信号受信部８１により受信され、リモコン信号デコード部８２に供給される。リモコン信号デコード部８２では、リモコン信号がデコードされて、そのデコード信号が制御信号発生部７０に供給される。
【００４６】
制御信号発生部７０では、デコ−ドされたリモコン信号に基づいて、論理回路６０に供給する制御信号が形成されて、論理回路６０に供給される。そして、上述したように、論理回路６０から切換回路４２４を制御する制御信号ＣＴＬが出力され、ユーザによるモザイク処理の強制オンや強制オフが実現される。
【００４７】
なお、通常、ユーザが選択したモザイク処理の強制オンや強制オフや自動の状態は、現状と異なった状態にする強制オンボタン、強制オフボタン、自動ボタンが押されるか、テレビジョン受信装置の電源が落とされるまで保持される。そして、テレビジョン受信装置の電源が投入されたときには、モザイク制御信号によりモザイク処理される自動の状態にされる。
【００４８】
リモコンコマンダ８０は、上述のしたようなモザイク処理の強制オン・オフ操作のほかに、テレビジョン受信装置の電源のオン・オフ、選局、音量調整などの操作も行なえるものである。
【００４９】
次に、上述した、エリア信号生成回路５５とエリア信号ＳＰＣについて、図７及び図８を用いて説明する。
【００５０】
図７は、エリア信号生成回路５５の一例のブロック図であり、図８は、エリア信号ＳＰＣの生成過程を説明するための波形図である。
【００５１】
水平カウンタ５０１は水平方向の画素位置を示す情報となるカウント値ＣＮＴ１を得るものであり、クロック発生器５０２からのクロックが、そのクロック端子に供給され、また、同期分離回路４３１からの水平同期信号ＨＤ（図８Ａ）が、そのリセット端子に供給される。
【００５２】
クロック発生器５０２は、この例ではＰＬＬ回路により構成され、これには、水平同期信号ＨＤが供給されて、これより、水平同期信号ＨＤに同期し、モニタ受像機４００の画面の水平方向の各画素に対応するクロック信号が、水平カウンタ５０１に供給される。そして、水平カウンタ５０１のカウント値ＣＮＴ１の情報は、比較回路５０４、５０５に供給される。
【００５３】
比較回路５０４においては、カウント値ＣＮＴ１とレジスタ５０３の格納値とが比較される。このレジスタ５０３には、モザイク制御信号デコード部５４によりデコードされた開始水平位置情報ＨＰＳが格納されて保持されている。
【００５４】
また、比較回路５０５においては、カウント値ＣＮＴ１とレジスタ５０６の格納値とが比較される。このレジスタ５０６には、モザイク制御信号デコード部５４によりデコードされた終了水平位置情報ＨＰＥが格納されて保持されている。
【００５５】
比較回路５０４は、カウント値ＣＮＴ１がレジスタ５０３に保持された開始水平位置情報ＨＰＳと一致すると、一致出力信号Ｃ１（図８Ｂ）を出力し、この一致出力信号Ｃ１をフリップフロップ回路５０７のセット端子Ｓに供給する。
【００５６】
また、比較回路５０５は、カウント値ＣＮＴ１がレジスタ５０６に保持された終了水平位置情報ＨＰＥと一致すると、一致出力信号Ｃ２（図ＢＣ）を出力し、この一致出力信号Ｃ２をフリップフロップ回路５０７のリセット端子Ｒに供給する。
【００５７】
したがって、フリップフロップ回路５０７からは、図８Ｄに示すように、一致出力信号Ｃ１の時点で“１”となり、一致出力信号Ｃ２の時点で“０”になる信号ＦＦＨが得られる。この信号ＦＦＨは、水平方向のモザイク処理区間を示す信号である。この信号ＦＦＨは、アンド回路５１４に供給される。
【００５８】
一方、垂直カウンタ５０８は１画面中のライン位置を示す情報を得るためのもので、この垂直カウンタ５０８には、同期分離回路４３１により抽出された水平同期信号ＨＤが、クロック信号として供給され、同期分離回路４３１により抽出された垂直同期信号ＶＤ（図８Ｅ）が、リセット信号として供給される。そして、垂直カウンタ５０８のカウント値ＣＮＴ２の情報は、比較回路５１０、５１１に供給される。
【００５９】
比較回路５１０においては、カウント値ＣＮＴ２とレジスタ５０９の格納値とが比較される。このレジスタ５０９には、モザイク制御信号デコード部５４によりデコードされた開始垂直位置情報ＶＰＳが格納されて、保持されている。
【００６０】
また、比較回路５１１においては、カウント値ＣＮＴ２とレジスタ５１２の格納値とが比較される。このレジスタ５１１には、モザイク制御信号デコード部５４によりデコードされた終了垂直位置情報ＶＰＥが格納されて、保持されている。
【００６１】
比較回路５１０は、カウント値ＣＮＴ２がレジスタ５０９に格納された開始垂直位置情報ＶＰＳと、一致したときに、図８Ｆに示すような一致出力信号Ｃ３を出力する。この一致出力信号Ｃ３は、フリップフロップ回路５１３のセット端子Ｓに供給される。
【００６２】
また、比較回路５１１は、垂直カウンタ５０８のカウント値ＣＮＴ２が、レジスタ５１２の終了垂直位置情報ＶＰＥと、一致したときに、図５Ｇに示すような一致出力信号Ｃ４を出力する。この一致出力信号Ｃ４は、フリップフロップ回路５１３のリセット端子Ｒに供給される。
【００６３】
したがって、フリップフロップ回路５１３からは、図８Ｈに示すように、一致出力信号Ｃ３の時点から“１”になり、一致出力信号Ｃ４の時点で“０”に戻る垂直方向のモザイク処理区間を示す信号ＦＦＶが得られる。この信号ＦＦＶは、アンド回路５１４に供給される。
【００６４】
このアンド回路５１４からは、水平方向のモザイク処理区間を示す信号ＦＦＨと垂直方向のモザイク処理区間を示す信号ＦＦＶとの論理積出力として、モニタ受像機４００の画面上にモザイク処理をするための領域の区間だけ“１”となるエリア信号ＳＰＣ（図８Ｉ）が生成される。
【００６５】
前述したように、モザイク処理回路４３を構成するサンプリングクロック生成回路４３２は、このエリア信号ＳＰＣが“１”である区間だけ、サンプリングクロックＭＳＨをサンプリングホールド回路４３１に供給する。この結果、エリア信号ＳＰＣが“１”である区間の映像信号に対してモザイク処理されるものである。
【００６６】
このようにして、テレビジョン信号に多重化されたモザイク制御信号中の情報によって、モザイク処理を実行する画面上の位置が指定されるものである。
【００６７】
次に、第２の実施例について図９〜図１３を参照しながら説明する。以下に説明する第２の実施例は、テレビ番組により、視聴者に対して応答を要求し、視聴者は、例えば、電話回線を介して放送局側へ応答を行なう双方向テレビ放送のテレビジョン受信装置の場合である。この例も、前述例と同様に、画像表示制限回路はモザイク処理回路により構成し、前述と全く同様のモザイク処理を行なう。
【００６８】
この例の双方向テレビ放送は、クイズ番組、テレビショッピング、アンケート調査、テレビオークションなど、テレビ番組の放送とリアルタイムに視聴者からの応答が必要な番組に有効な放送方法であり、視聴者からの電話回線を介しての応答に必要な、返信先の電話番号や応答を制限するために視聴者の電話番号の末尾制限情報などは、テレビジョン信号に多重化されてテレビジョン受信装置に供給される。
【００６９】
この例の場合、上述の双方向テレビ番組に関する情報やこの例のテレビジョン受信装置が有するモザイク処理回路を制御する情報は、オーディオ帯域の信号であるＤＴＭＦ（Ｄｕａｌ  Ｔｏｎｅ  Ｍｕｌｔｉ  Ｆｒｅｑｕｅｎｃｙ）信号を、オーディオ信号に多重化して送信する。このため、この例のテレビジョン受信装置は、ＤＴＭＦ信号をデコードする機能を有している。
【００７０】
まず、図９を参照しながら、ＤＴＭＦ信号について説明する。
【００７１】
［ＤＴＭＦ信号］
ＤＴＭＦ信号方式は、１つは低周波数のグループ（低群）、そしてもう１つは高周波数のグループ（高群）の２つのトーンを同時に送るオーディオ帯域信号方式である。これらの低周波数及び高周波数のグループの各々は、どの２つも調音の関係にない４つのオーディオ帯域周波数のトーンからなっている。
【００７２】
ＤＴＭＦ信号では、低群の４周波数は、例えば、６９７Ｈｚ、７７０Ｈｚ、８５２Ｈｚ、９４１Ｈｚとされ、高群の４周波数は、例えば、１２０９Ｈｚ、１３３６Ｈｚ、１４７７Ｈｚ、１６３３Ｈｚとされている。そして、これら低群と高群の中のそれぞれ１周波数ずつを組み合わせ、その組み合わせからなる各ＤＴＭＦ信号（この各ＤＴＭＦ信号のそれぞれを、以下機能信号という）を、図９に示すように、４行４列に配設されたプッシュボタン「０」〜「Ｄ」にそれぞれ割り付けられる。
【００７３】
電話通信では、ＤＴＭＦ信号の１６の組み合わせの機能信号のうち、単に１２個が一般に加入者アドレス（電話番号）の信号に用いられている。つまり、電話機でいわゆるテンキーとして使用されている「０」〜「９」の数字と、「＊」や「＃」の記号に対して、前記の１２個の組み合わせの機能信号が対応される。図９に破線で示した「Ａ」、「Ｂ」、「Ｃ」、「Ｄ」の文字に対応する機能信号は、日本国内では一般には利用しておらず、プッシュボタン（ＰＢ）ダイアルを利用したデータ伝送に利用されているのみである。
【００７４】
このようなＤＴＭＦ信号を使って電話番号による回線選択を行なう場合、信号の送出条件は、図１０に示すように規定されている。
【００７５】
上述のような２周波数の組み合わせと送出条件とによって、ＤＴＭＦ信号は、自然界では滅多に発生しないものとなり、人の声などのような自然音と明確に区別することができるので、通常の放送オーディオ信号に多重（混声）して放送することができて、受信側での分離も比較的容易である。
【００７６】
ちなみに、ＤＴＭＦ信号は、多機能電話においても利用されており、外出先からプッシュボタン式の電話のボタン操作によって、自宅の電話に留守番録音されている用件を再生させたり、留守番録音の応答メッセージを録音、再生したり、用件を消去したりすることができる。
【００７７】
［多重化情報］
この実施例の送信側、つまり放送局側においては、多重化情報の送信に当たって、上述のようにＰＢ回線選択には使用されていない「Ａ」、「Ｂ」、「Ｃ」、「Ｄ」を意味する機能信号のうち、「Ａ」、「Ｂ」、「Ｃ」の機能信号は、多重化情報の送信開始情報として用い、「Ｄ」の機能信号は送信終了情報として用いる。
【００７８】
送信開始情報が３種類あるので、この例では、多重化情報を３種類に区別して送信することができる。つまり、３種の多重化情報は、その種別ごとに、「Ａ」、「Ｂ」、「Ｃ」の機能信号のいずれかと、「Ｄ」の機能信号とで区切られて放送される。
【００７９】
例えば、双方向番組への応答アクセスに関する情報、例えばアクセス先の電話番号（受付電話番号）、伝送レートなどの情報は、「Ａ」の機能信号を送信開始情報とし、送信終了情報である「Ｄ」の機能信号との間に送信される。また、同様に、例えば応答側の電話番号の末尾制限や現在時刻設定などの環境設定に関する情報は、「Ｂ」の機能信号と「Ｄ」の機能信号との間に、受信データのクリアに関する情報は「Ｃ」の機能信号と「Ｄ」の機能信号との間に、それぞれ挟まれた状態の信号として多重化されて放送される。
【００８０】
そして、受信側においては、送信開始情報としての「Ａ」、「Ｂ」、「Ｃ」の機能信号のいずれかと、送信終了情報としての「Ｄ」の機能信号とに挟まれた数値や記号データが多重化データ列（情報群）とみなされて、後述のように、メモリの所定の格納域にそれぞれ区別されて保存される。
【００８１】
例えば、応答アクセスに関する情報として、インタラクティブ（対話型）テレビジョン規格バージョンが００の受信機に対して、受付電話番号０９９０−１２３４−１２３４に、伝送レート３００ｂｐｓでアクセスを許可する場合は、多重化情報は、
００＃０９９０＊１２３４＊１２３４
のようなＤＴＭＦ信号の各機能信号により構成されるデータ列が、「Ａ」の機能信号と「Ｄ」の機能信号との間に挟まれた状態で主放送オーディオ信号に多重化されて送出される。ここで、データ列のうち、最初の００は、インタラクティブ（対話型）テレビジョン規格バージョンが００（伝送レート３００ｂｐｓ）を示し、記号「＃」の後の数値データは受付電話番号である。
【００８２】
また、インタラクティブテレビジョン規格バージョンが０１の受信機に対し、電話番号０９９０−１２３４−１２３５に、伝送レート１２００ｂｐｓでアクセスを許可する場合には、
０１＃０９９０＊１２３４＊１２３５
のようなＤＴＭＦ信号の各機能信号により構成されるデータ列が、「Ａ」の機能信号と「Ｄ」の機能信号との間に挟まれた状態で主放送オーディオ信号に多重化されて送出される。ここで、データ列のうち、最初の０１は、インタラクティブ（対話型）テレビジョン規格バージョンが０１（伝送レート１２００ｂｐｓ）を示し、記号「＃」の後の数値データは受付電話番号である。
【００８３】
なお、上述のような応答アクセスに関するデータ列では、記号「＃」がセパレータ（個々のデータの区切り）を表わし、記号「＊」がポーズを表わす。
【００８４】
環境設定に関する情報として、特定の電話番号（加入者番号）を持った視聴者のみにアクセスを制限する場合、例えば、電話番号末尾が０の番号のみにアクセスを許可するときは、
０＃０
のようなＤＴＭＦ信号の各機能信号により構成されるデータ列が、また、電話番号末尾が１の番号のみにアクセスを許可するときは、
０＃１
のようなＤＴＭＦ信号の各機能信号により構成されるデータ列が、それぞれ、「Ｂ」の機能信号と「Ｄ」の機能信号との間に挟まれた状態で主放送オーディオ信号に多重化されて送出される。この場合、記号「＃」の前の数字「０」は、記号「＃」の次の数字を、末尾として有する電話番号からのアクセスを許可することを意味する。
【００８５】
また、電話番号末尾が偶数の番号のみにアクセスを許可するときは、
０＃０＊０＃２＊０＃４＊０＃６＊０＃８
のようなＤＴＭＦ信号の各機能信号により構成されるデータ列が、「Ｂ」の機能信号と「Ｄ」の機能信号との間に挟まれた状態で主放送オーディオ信号に多重化されて送出される。ここでは、記号「＊」は論理和を意味している。
【００８６】
そして、受信データのクリアに関する情報として、例えば、番号制限のクリアの場合は、
９９＃０
のようなＤＴＭＦ信号の各機能信号により構成されるデータ列が、「Ｃ」の機能信号と「Ｄ」の機能信号との間に挟まれて送出され、また、受付電話番号のクリアの場合には、
９９＃１
のようなＤＴＭＦ信号の各機能信号により構成されるデータ列が、「Ｃ」の機能信号と「Ｄ」の機能信号との間に挟まれて送出される。
【００８７】
上述のように、電話回線の選択信号としては使用されていない「Ａ」、「Ｂ」、「Ｃ」、「Ｄ」の機能信号を、多重化情報の送信開始情報及び送信終了情報とすることによって、例えば、ドラマの電話をかけるシーンなどで、ＤＴＭＦ音が発信されても、番組関連情報と混同されることはない。また、多重化情報を確実に送受することができる。
【００８８】
次に、テレビジョン受信装置側において、放送局側で予めピックアップされた映像シーンにモザイク処理するために、ＤＴＭＦ信号として送出されるモザイク制御情報について説明する。
【００８９】
モザイク・オン・オフ情報は、
４４＃０
４４＃１
のようなデータ列が「Ｂ」の機能信号と「Ｄ」の機能信号との間に挟まれた状態で主放送オーディオ信号に多重化されて送出される。このデータ列の最初の「４４」は、その後に続く情報がモザイク・オン・オフ情報ＳＷであることを示す情報であり、「＃」の後の「０」または「１」がモザイク・オン・オフ情報ＳＷそのものを表わしている。
【００９０】
また、画面上の所定の１部分のみをモザイク処理する場合には、モザイク制御情報の位置情報として、
３３＃００＃０１００
３３＃０１＃０３００
３３＃１０＃０２５０
３３＃１１＃０３５０
のような、ＤＴＭＦ信号の各機能信号により構成されるデータ列が、「Ｂ」の機能信号と「Ｄ」の機能信号との間に挟まれた状態で主放送オーディオ信号に多重化されて送出される。
【００９１】
上述のデータ列において、最初の「３３」は、その後に続く情報がモザイク処理の位置情報であることを示している。「＃」の後の「００」は、その後に続く情報が水平開始位置情報ＨＰＳであることを示し、「０１」は、水平終了位置情報ＨＰＥであることを示している。同様に、「１０」は、後続の情報が垂直開始位置情報ＶＰＳであることを示し、「１１」は、垂直終了位置情報ＶＰＥであることを示している。
【００９２】
また、各データ列の最後４桁は、情報ＨＰＳ，ＨＰＥ，ＶＰＳ，ＶＰＥの具体的な値の情報である。これにより、図２を用いて前述したように、モザイク処理を実行する矩形領域Ａを指定することができる。
【００９３】
さらに、この例では、クイズ番組で、画面に表示される解答をモザイク処理することができるようにして、クイズ番組の出演解答者と一緒に考えたい視聴者のみモザイク処理をオンにすることができる。このようなクイズ番組の場合には、
２２＃１０
２２＃０１
のような、ＤＴＭＦ信号の各機能信号により構成されるデータ列が、「Ｂ」の機能信号と「Ｄ」の機能信号との間に挟まれた状態で主放送オーディオ信号に多重化されて送出される。
【００９４】
上述のデータ列において、最初の「２２」は、解答附属のクイズ番組であることを示し、「＃」の後の「１０」は、モザイク処理のオン・オフの初期状態をオフの状態にする情報である。このとき、クイズ番組における映像や音声により、クイズの解答は画面に表示されるが、解答を見ずにクイズを考えたい視聴者は、リモコン送信機を用いてモザイク処理を強制オンにするように促される。
【００９５】
また、「＃」の後が「０１」の場合には、モザイク処理のオン・オフの初期状態をオンの状態にする情報である。このとき、クイズ番組における映像や音声により、クイズの解答は画面に表示されるがモザイク処理されているため、解答を見たい視聴者は、リモコン送信機を用いてモザイク処理を強制オフにするように促される。
【００９６】
また、双方向放送のクイズ番組の場合には、ユーザーの強制オフ操作に関係なく、多重化信号により解答部分のモザイク処理を強制オンにするようにする。この場合には、
２２＃００
のような、ＤＴＭＦ信号の各機能信号により構成されるデータ列が、「Ｂ」の機能信号と「Ｄ」の機能信号との間に挟まれた状態で主放送オーディオ信号に多重化されて送出される。
【００９７】
この例のデータ列において、「２２」は、上述したように解答附属のクイズ番組であることを示し、「＃」の後の「００」は、ユーザーがモザイク強制オフにしたときにも、解答に対するモザイク処理は解除できないようにする情報である。
【００９８】
なお、解答の制限時間を過ぎた場合や既に解答が送信済みであることをＣＰＵ２１が認識している場合には、モザイク処理の強制オンを視聴者のリモコン操作により解除することができるようにしてもよい。
【００９９】
また、解答附属のクイズ番組でモザイク処理する領域を指定する場合には、
２２＃００＃００＃０１００
２２＃００＃０１＃０３００
２２＃００＃１０＃０２５０
２２＃００＃１１＃０３５０
のように、ＤＴＭＦ信号の各機能信号により構成されるデータ列を「Ｂ」の機能信号と「Ｄ」の機能信号の間に挟んで送信する。この例で「２２＃００」は上述したように、解答付属のクイズ番組で解答部分のモザイク処理を、強制的にオンの状態にする情報である。その後ろに続く「００」、「０１」、「１０」、「１１」は、水平方向の開始位置の情報、水平方向の終了位置の情報、垂直方向の開始位置の情報、垂直方向の終了位置の情報であることを示し、各データ列の後４桁の「０１００」、「０３００」、「０２５０」、「０３５０」が具体的な位置情報である開始水平位置情報ＨＰＳ、終了水平位置情報ＨＰＥ、開始垂直位置情報ＶＰＳ、終了垂直位置情報ＶＰＥを示す情報である。
【０１００】
［受信装置の構成］
次に、図１１〜図１３を参照しながら、この発明によるテレビジョン受信装置を、双方向放送番組対応のテレビジョン受信装置に適用した場合の実施例について説明する。
【０１０１】
この例のテレビジョン受信装置の実施例の構成を図１１に示す。図１１において、１０はテレビジョン受信装置の信号系であり、２０はその制御系である。
【０１０２】
アンテナ１で受信された放送電波はチューナ１１に供給される。チューナ１１には制御系２０から選局信号が供給されて、このチューナ１１において所望のチャンネルの放送信号が選択されて中間周波信号に変換される。この中間周波信号は中間周波回路１２に供給される。この中間周波回路１２には、映像復調器１３と音声復調器１４とが含まれ、映像信号及びオーディオ信号が復調される。
【０１０３】
映像復調器１３からの映像信号Ｓ１３は、映像信号処理回路１５を経て、受像管１６に供給される。この映像信号回路１５は、図３の映像信号処理部４２に対応するものであり、モザイク処理回路４３及び切換回路４２４も含んでいる。
【０１０４】
音声復調器１４からのオーディオ信号Ｓ１４は、音声多重デコーダ１７に供給されて、２か国語信号またはステレオ信号ＳＬ、ＳＲがデコードされる。そして、これら信号ＳＬ、ＳＲがそれぞれアンプ１８Ｌ、１８Ｒを通じて左右のスピーカ１９Ｌ、１９Ｒに供給される。
【０１０５】
音声復調器１４からのオーディオ信号Ｓ１４は、また、前処理回路３１を介してＤＴＭＦデコーダ３２に供給される。このＤＴＭＦデコーダ３２は、その入力信号中のＤＴＭＦ信号を常時サーチし、ＤＴＭＦ信号を検知すると、そのＤＴＭＦ信号がいずれの機能信号であるかのデコードを行う。つまり、「０」〜「９」の番号、「＃」、「＊」、「Ａ」〜「Ｄ」がデコードされる。そして、そのデコードしたデータを制御系２０に供給する。
【０１０６】
この前処理回路３１とＤＴＭＦデコーダ３２の処理が第一の実施例で前述した図３のモザイク制御信号抽出回路５０の処理に対応する。そして、制御系２０のＣＰＵ２１で実行されるプログラムにより処理されて、モザイク・オン・オフ情報ＳＷと、モザイク処理を実行する画面位置情報としての水平開始位置情報ＨＰＳ，水平終了位置情報ＨＰＥ，垂直開始位置情報ＶＰＳ、垂直終了位置情報ＶＰＥがデコードされ、位置情報は、Ｉ／Ｏポート２６１を介して、エリア信号生成回路２７に供給される。そして、エリア信号生成回路２７において、前述例と同様にしてモザイク処理を実行する領域を示すエリア信号ＳＰＣが生成され、映像信号処理部１５のモザイク処理回路に供給され、モザイク処理が実行される。
【０１０７】
また、デコードされたモザイク・オン・オフ情報は、Ｉ／Ｏポート２６１を介して、映像信号処理部１５が内蔵する３原色信号Ｒ，Ｇ，Ｂの切換回路４２４（図示せず）に供給され、切り換えを制御する。第一の実施例と同様に、リモコンコマンダ３４を操作することにより、視聴者が、モザイク処理のオン・オフをコントロールすることができる。
【０１０８】
この例の場合には、ＤＴＭＦデコーダ３２としては、広く普及している市販のＤＴＭＦデコーダを用いる。前処理回路３１は、このようにＤＴＭＦデコーダ３２として市販のＤＴＭＦデコーダを使用しても、より精度の高いＤＴＭＦ信号のデコードを行うことができるようにするための前処理を行うために設けられる。すなわち、前処理回路３１は、オーディオ信号Ｓ１４について、ＤＴＭＦ信号以外の周波数成分を除去して、ＤＴＭＦデコーダ３２の入力信号が、市販のＤＴＭＦデコーダが許容する信号となるようにするもので、フィルタ回路からなる。
【０１０９】
また、この実施例では、視聴者参加型番組への応答など、双方向放送番組に対応するために、データ通信用のモデム（変復調装置）３３が設けられる。このモデム３３の回線接続端子Ｌｉｎｅには電話回線２が接続され、電話端子Ｔｅｌ  には電話機３が接続される。このモデム３３が、制御系２０のシステムバス２００に接続される。また、モデム３３からのデータが、ＤＴＭＦデコーダ３２に供給されており、電話回線２を介して送られてくるＤＴＭＦ信号をこのＤＴＭＦデコーダ３２でデコードして、制御系２０に取り込むことができるようにされている。
【０１１０】
制御系２０は、ＣＰＵ２１と、ＲＯＭ２２と、ＤＲＡＭ２３と、ＳＲＡＭ２４と、ビデオＲＡＭ２５とを備え、それぞれがシステムバス２００に接続される。ＲＯＭ２２には、後述するＤＴＭＦデータの受信取り込み処理プログラムのほか、各種の制御プログラムが格納されると共に、表示に用いるフォントやグラフィックのデータも格納される。ＤＲＡＭ２３は主に演算のための作業領域として利用され、ＳＲＡＭ２４には受信装置自身の設定情報やＩＤ情報などが保存される。
【０１１１】
そして、ビデオＲＡＭ２５は表示に用いられる。ビデオＲＡＭ２５に対してはディスプレイコントローラ２５Ｃが設けられている。このディスプレイコントローラ２５Ｃは、ビデオＲＡＭ２５へのビデオデータの読み出し及び書き込みを制御するとともに、読み出したビデオデータをアナログ映像信号に変換する。そして、このディスプレイコントローラ２５Ｃから得られるアナログ映像信号は、映像信号処理部１５に供給され、制御部２０からの映像信号処理部１５の制御と相俟って、中間周波回路１２からの映像信号に重畳され、あるいは切り換えられて合成される。
【０１１２】
制御系２０は、また、Ｉ／Ｏポート２６１を通じて制御信号を映像信号処理回路１５及び音声多重デコーダ１７に供給する。また、リモコンコマンダ３４からの、例えば赤外線リモコン信号がリモコン受信機３５で受信され、その受信されたリモコン信号がリモコンデコード回路３６でデコードされ、そのデコードされたリモコン信号が、Ｉ／Ｏポート２６１より制御系２０に取り込まれる。
【０１１３】
そして、リモコンコマンダ３４でのユーザーの操作に応じた制御が、ＲＯＭ２２のプログラムにしたがってＣＰＵ２１により行なわれる。このリモコンコマンダ３４では、上述したユーザーによるモザイク強制オン・オフ操作、自動モードの選択ができる。また、例えば、選局や音量制御などのリモコン操作の場合、チューナ選局や音量制御が実行されると同時に、必要な文字や記号の表示のためのフォントデータが、ＲＯＭ２２から読み出されてビデオＲＡＭ２５へ転送される。そして、このビデオＲＡＭ２５のデータが映像信号処理回路１５に供給され、映像信号Ｓ１３と合成（例えばスーパーインポーズ）されることにより、受像管１６の画面に適宜の時間、表示される。
【０１１４】
そして、選局や音量制御などのデータは、それぞれの操作の都度、不揮発性のＳＲＡＭ２４に書き込まれて、電源を一旦オフとした後に再度オンとした場合、電源オフ直前と同音量で同じチャンネルを試聴する、いわゆる、ラストメモリ機能が実現される。
【０１１５】
Ｉ／Ｏポート２６３を通じては、選局信号がチューナ１１に供給される。また、この実施例では、実時間の通知や所定の時間の割り込み発生のためのタイマ回路３７からの時間データがＩ／Ｏポート２６４を通じて制御系２０に入力される。
【０１１６】
［多重化情報の受信処理］
次に、図１２及び図１３をも参照しながら、図１１の実施例の多重化情報の受信処理について説明する。
【０１１７】
テレビジョン受信装置の電源がオンの状態では、前処理回路３１及びＤＴＭＦデコーダ３２を使用して、現在選択されているチャンネルの番組のオーディオ信号に混声されているＤＴＭＦ信号を、常時、監視する。すなわち、ＣＰＵ２１は、Ｉ／Ｏポート２６２を通じてＤＴＭＦデコーダ３２の出力を、常時、あるいは所定の周期でサーチし（ステップ１０１）、現に受信中の放送番組のオーディオ信号Ｓ１４にＤＴＭＦ信号が混声されていることを検知したときは（ステップ１０２）、そのＤＴＭＦ信号のデコード出力Ｄ３２を、前述したような番号や記号として取り込む（ステップ１０３）。
【０１１８】
このとき、前述のような送出条件、すなわち、ＤＴＭＦ信号の続く長さが５０ｍｓｅｃ以上か、ＤＴＭＦ信号がなくなってから次の信号の立上がりまでのポーズ時間は３０ｍｓｅｃ以上か、ＤＴＭＦ信号の長さとポーズ時間との合計が規定値の１２０ｍｓｅｃ以上かなどのチェックを行い、本当に検出された信号がＤＴＭＦ信号かをチェックする（ステップ１０４）。これにより、放送電波の受信状態の悪いときのエラーデータの受信を防ぐことができると共に、通常の音声に、偶然、ＤＴＭＦ信号と同じ周波数成分が含まれていた場合の誤受信を防ぐことができる。
【０１１９】
ステップ１０４において、受信データがＤＴＭＦ信号でないと判断した場合は、ステップ１０５に進んで、ＤＲＡＭ２３の一時格納域をクリアすると共に、保存ポインタを初期設定した後、ステップ１０１に戻って、ＤＴＭＦデコーダ３２の出力チェックを継続する。
【０１２０】
また、受信データがＤＴＭＦ信号であると判断した場合は、ステップ１０６に進んで、保存ポインタアドレスが一時格納域の範囲内にあるか否かをチェックする。そして、保存ポインタアドレスが一時格納域の範囲内にない場合は、電源オン直後の状態、または、エラー状態であるため、ステップ１０６からステップ１０７に進んで、リセットの意味から、保存ポインタに一時格納域のアドレスを初期設定する。これにより、保存ポインタの示すアドレスが不定のまま、ＤＲＡＭ２３にデータが書き込まれ、誤動作ないしはソフトウエア暴走の原因となることが防止される。
【０１２１】
ステップ１０６でポインタアドレスが一時格納域の範囲内にあると判別したとき、また、ステップ１０７でポインタに一時格納域のアドレスを初期設定した後には、ステップ１０８に進んで受信データが“０”〜“９”までの番号や、“＃”や“＊”などの記号データであるかを判別する。これら数値や記号であると判別したときには、ステップ１０８からステップ１０９に進んで、一時格納域に空きがあるか否かをチェックする。
【０１２２】
そして、受信データがこれらの数値や記号データであって、かつ、一時格納域に空きがある場合、つまりポインタが一時格納域の範囲内を指示している場合は、ステップ１１０に進んで、ＤＲＡＭ２３の、そのポインタが示すアドレスへ受信したデータ（“０”〜“９”、“＃”、“＊”）を格納する。そして、その後、ステップ１１１に進んでポインタを１文字分だけ更新する。その後、ステップ１０１に戻ってＤＴＭＦ信号の受信チェックを継続する。
【０１２３】
また、ステップ１０９において、一時格納域に空きがないと判断した場合は、受信エラーなので、ステップ１１２に進んで、一時格納域をクリアし、ポインタに一時格納域のアドレスを初期設定する。
【０１２４】
また、上述のステップ１０８において、受信データが、“０”〜“９”、“＃”、“＊”のような数値や記号データでない場合は、前述の４つの機能信号に対応する文字データ“Ａ”、“Ｂ”、“Ｃ”、“Ｄ”のいずれかであるので、図１２の区分格納のルーチン１２０に入る。このルーチン１２０は、図１３に示す内容のもので、まず、ステップ１２１において、ポインタに一時格納域の先頭アドレスをセットする。次いで、ステップ１２２、１２３、１２４で、受信データが“Ａ”、“Ｂ”、“Ｃ”の３つの機能信号のいずれであるかを順次チェックする。
【０１２５】
そして、ステップ１２２で受信データが“Ａ”の機能信号であると判断した場合は、ステップ１２５に進んで、ポインタの示すアドレスに「Ａ」を設定する。また、ステップ１２３で受信データが“Ｂ”の機能信号であると判断した場合は、ステップ１２６に進んで、ポインタの示すアドレスに「Ｂ」を設定する。さらに、ステップ１２４で受信データが“Ｃ”の機能信号であると判断した場合は、ステップ１２７に進んで、ポインタの示すアドレスに「Ｃ」を設定する。
【０１２６】
そして、これらステップ１２５、１２６、１２７の後は、ステップ１１１に進んで、ポインタを１文字分だけ更新する。その後、ステップ１０１に戻ってＤＴＭＦ信号の受信チェックを継続する。
【０１２７】
上述のステップ１２２〜１２４において、“Ａ”、“Ｂ”、“Ｃ”の３つの機能信号のいずれでもないと判断した場合は、残りの文字“Ｄ”の機能信号であると判断し、ここまでに一時格納域に格納されたデータを１つのデータ列（情報群）として処理する。
【０１２８】
すなわち、放送側は、ＤＴＭＦ信号の送信時には、送信開始信号として、“Ａ”、“Ｂ”、“Ｃ”の機能信号のいずれかを送出するので、ステップ１２５〜１２７の結果、一時格納域の先頭には、「Ａ」、「Ｂ」、「Ｃ」のいずれかが格納されている。そこで、次のステップ１２８においては、一時格納域の先頭が「Ａ」、「Ｂ」、「Ｃ」の文字データのいずれであるかを判別する。
【０１２９】
この判別の結果、一時格納域の先頭が「Ａ」であれば、ステップ１２９に進んで、一時格納域の先頭からポインタの示す最後の部分までのデータ列を、対応する格納域Ｇａに保存する。また、一時格納域の先頭が「Ｂ」であれば、ステップ１３０に進んで、一時格納域の先頭からポインタの示す最後の部分までのデータ列を、対応する格納域Ｇｂに保存する。さらに、一時格納域の先頭が「Ｃ」であれば、ステップ１３１に進んで、一時格納域の先頭からポインタの示す最後の部分までのデータ列を、対応する格納域Ｇｃに保存する。これら格納域Ｇａ、Ｇｂ、Ｇｃとしては、後述のようにＤＲＡＭ２３またはＳＲＡＭ２４に設定される。
【０１３０】
そして、次にステップ１３２に進んで、受信したデータ列の評価、解析を行ない、格納域Ｇａ、Ｇｂ、Ｇｃに格納された情報が、受信時に実行することが必要なコマンドである場合、そのコマンドに対応した処理、例えば、受信されている情報の一部または全部のクリア、現在時刻のタイマーへの設定、メニュー表示選択処理などを行なう。しかる後、ステップ１０１に戻って受信チェックを継続する。
【０１３１】
以上のように、この実施例の多重データの受信処理では、放送番組のオーディオ信号を常時監視しながら、ＤＴＭＦ信号の内の機能信号に対応する文字データ“Ａ”と“Ｄ”、“Ｂ”と“Ｄ”、“Ｃ”と“Ｄ”の機能信号に挟まれたデータ列を１つの情報とみなし、前述のような情報の種類に応じて区分して、それぞれの情報を別々の格納域Ｇａ、Ｇｂ、Ｇｃへ自動的に保存する。こうして、この実施例では、受信情報を分類して保存することができる。
【０１３２】
例えば、始端が“Ａ”の機能信号であれば、双方向番組への応答アクセスに関する情報として、データ列は格納域Ｇａに保存される。また、始端が“Ｂ”の機能信号であれば、環境設定に関する情報として、格納域Ｇｂに保存される。そして、始端が“Ｃ”の機能信号であれば、受信データのクリアに関する情報として、格納域Ｇｃに保存される。
【０１３３】
応答アクセスに関する情報など双方向番組に対応する一時的な情報は、番号クリア信号の受信時にクリアすることが考えられるが、クリア信号受信時にチャンネルが切り替わっていたりする可能性を考えると、電源オフのタイミングで、古い番号がクリアされることが望ましい。したがって、応答アクセスに関する情報は、ＤＲＡＭ２３にそのまま保存してもよい。つまり、格納域ＤａはＤＲＡＭ２３上に設定してもよい。
【０１３４】
一方、環境設定に関する情報には、前述のように、放送番組の受信予約や録画予約などのための時刻情報が含まれており、予約された番組の時刻情報は、例えば、１週間を超えるような比較的長い期間にわたって保存する必要がある。そこで、これらの情報は、不揮発性のＳＲＡＭ２４上に転送した方がよい。
【０１３５】
したがって、この実施例では、格納域Ｇａ、Ｇｂ、Ｇｃは、その保存すべきデータの性質、つまり長期保存が必要か、電源オフで消去してもよいものか、などの条件に応じて、揮発性のＤＲＡＭ２３あるいは不揮発性のＳＲＡＭ２４上設定される。
【０１３６】
そして、センター局に対する上り方向の情報の送信に一般の電話回線を利用した簡易型インタラクティブテレビジョンの、後述のような応答処理に際しては、ＤＲＡＭ２３上の格納域Ｇａに保存された、宛先電話番号や通信条件などの必要な情報を、自動的に読み出して、利用することができる。
【０１３７】
なお、放送局側からのモザイク制御情報を、第１の実施例では、映像信号の垂直帰線消去期間に多重化し、第２の実施例では、ＤＴＭＦ信号としてオーディオ信号に多重化したが、この他にも、音声多重放送のサブオーディオ信号をデータの搬送に用いたり、映像信号やオーディオ信号とは、まったく別の帯域のデータの搬送専用の信号を用いるようにすることも可能である。
【０１３８】
また、第１の実施例、第２の実施例とも、テレビジョン受信装置にモザイク処理回路が内蔵されたものであり、テレビジョン信号に、モザイク処理に関する情報が多重化されていない場合であっても、視聴者がリモコンコマンダを操作することにより、所定の部分にモザイク処理を実行することができる。この場合、モザイク処理の領域は、画面の上半分、下半分、右半分、左半分、あるいは、画面を上下左右に４分割した場合の上右部分、上左部、下右部、下左部分などのように切換指定したり、ユーザーが矩形領域や任意の多角形領域を指定するようにすることも可能である。
【０１３９】
なお、以上の実施例では、画像表示制限回路としてモザイク処理回路を用いたが、画像を正しく再現させなければよいので、指定された画面全体や一部画像領域を一色で表示したり、ノイズで表示したりすることも可能であり、その他種々の画像を正しく再現させないようにする処理回路を使用することができる。
【０１４０】
さらに、画面全体を上記のような非表示処理するとき、非表示処理中であることを示す文字表示を行なうようにして、視聴者の注意を促し、受信装置の故障と勘違いすることがないようにすることもできる。
【０１４１】
【発明の効果】
以上説明したように、この発明によれば、放送局側であらかじめピックアップされたシーン区間をテレビジョン受信装置の画像表示制限回路により画像を正しく再現表示しないようにするための情報が、テレビジョン信号に多重化されて送信される。このため、視聴者が意識することなく、放送局側でピックアップされた、例えば、幼児に見せたくない映像シーンは、テレビジョン受信装置で例えばモザイク処理等の処理がなされて提供される。この場合、当該幼児には見せたくないシーンが始まると即座にモザイク処理等の処理がされるので、視聴者が意識してテレビジョン受信装置の電源を切ったり、チャンネルを変える必要がなくなる。
【０１４２】
また、必要なシーン区間だけが確実に、画像が正しく再現表示されないようにされるため、視聴者自身がテレビジョン受信装置の電源を切ったり、チャンネルを変える必要がなく、テレビ番組により提供される情報を見逃したり、番組のストーリーが分からなくなるということもない。
【０１４３】
また、モザイク処理等の画像を正しく再現表示しないための画像非表示処理は、テレビジョン受信装置側で実行されるため、視聴者がその画像非表示処理された画面を映出するか否かを制御することも可能であり、幼児と一緒に視聴している場合とそうでない場合、あるいは、視聴者の好みなどによって、画像非表示処理の動作／非動作を制御することができる。
【０１４４】
また、クイズ番組などでは、解答を画面に表示する場合、視聴者の選択により、解答の表示部分を見せないようにする処理をオンまたはオフするように制御できるなど、視聴者の選択を生かした、従来にないクイズ番組などのテレビ放送番組が実現できる。
【図面の簡単な説明】
【図１】この発明による放送システムの一実施例におけるモザイク処理に関する情報の多重化例を説明するための図である。
【図２】この発明による放送システムの一実施例におけるモザイク処理に関する情報のモザイク位置情報を説明するための図である。
【図３】この発明によるテレビジョン受信装置の一実施例の構成を示すブロック図である。
【図４】モザイク処理がされていない画像の例を示す図である。
【図５】この発明の一実施例により画面全体がモザイク処理された画像の例を示す図である。
【図６】この発明の一実施例により画面の下３分の１がモザイク処理された画像の例を示す図である。
【図７】この発明によるテレビジョン受信装置の一実施例のエリア信号生成回路の一例を説明するためのブロック図である。
【図８】図４の例のエリア信号生成回路を説明するための波形図である。
【図９】ＤＴＭＦ信号を説明するための図である。
【図１０】ＤＴＭＦ信号の送出条件を説明するための図である。
【図１１】この発明によるテレビジョン受信装置の別の実施例の構成を示すブロック図である。
【図１２】図１１の実施例のＤＴＭＦ信号による多重化情報の受信動作の全体を説明するためのフローチャートである。
【図１３】図１２のフローチャートの一部のフローチャートである。
【符号の説明】
４０      チューナ／デコーダ部
４１      音声信号処理部
４２      映像信号処理部
４２４    切換回路
４３      モザイク処理回路
４３１    サンプリングホールド回路
４３２    サンプリングクロック生成回路
４４      同期分離回路
５０      モザイク制御信号抽出回路
５１      ゲート信号生成部
５２      ゲート回路
５３      ２値化処理部
５４      モザイク制御信号デコード部
５５      エリア信号生成回路
６０      論理回路
７０      制御信号発生部
８０      リモコンコマンダ
【図１】
0003570436.tif 000002
【図２】
0003570436.tif 000003
【図３】
0003570436.tif 000004
【図４】
0003570436.tif 000005
【図５】
0003570436.tif 000006
【図６】
0003570436.tif 000007
【図７】
0003570436.tif 000008
【図８】
0003570436.tif 000009
【図９】
0003570436.tif 000010
【図１０】
0003570436.tif 000011
【図１１】
0003570436.tif 000012
【図１２】
0003570436.tif 000013
【図１３】
0003570436.tif 000014